(57)【要約】      （修正有）【課題】迅速、容易、簡単に、下方動作位置と上方作動位置との間で移行する調整自在の卓上作業台を提供する。【解決手段】調整自在の卓上作業台は、既存の作業者の机の上に設定することが意図された基部基盤１５を含む。調整機構は、左、右の枢動ブラケットを含み、枢動ブラケットの各対は、前方複数位置調節自在の枢動ブラケット３１及び後方安定化枢動ブラケット３２を含んでいる。各ブラケットは、Ｌ字形取付けブラケット４５を介して基部基盤１５及び卓上基盤に固定され、取付けブラケット４５は、例えばネジを介してそれぞれの基盤に固定される。また、スプリング３４が含まれて、卓上基盤を滑らかに、上昇、下降することを容易にし、スプリング３４は前方枢動ブラケット３１及び後方枢動ブラケットの間に接続される。【選択図】図５
0003198070.tif 000002
【実用新案登録請求の範囲】
【請求項１】
（ａ）下方基盤を有する基部、
（ｂ）上方基盤、
（ｃ）前記基部及び前記上方基盤の間で装着された２個の枢動アームを備え、
（ｄ）各枢動アームは、さらに前方ブラケット及び後方ブラケット、及び
（ｅ）前記基盤を直立位置に固定して係合するための各アーム上の固定レバーを有することを特徴とする調整自在の卓上作業台。
【請求項２】
基部に取外し可能なインサートを備えることを特徴とする請求項１記載の調整自在の卓上作業台。
【請求項３】
１つ以上の横方向安定化棒を備えることを特徴とする請求項１記載の調整自在の卓上作業台。
【請求項４】
１つ以上の横方向安定化棒は、各枢動アームの前方ブラケットを接続する剛性棒を含むことを特徴とする請求項３記載の調整自在の卓上作業台。
【請求項５】
１つ以上の横方向安定化棒は、各枢動アームの後方ブラケットを接続する第２の剛性棒を含むことを特徴とする請求項４記載の調整自在の卓上作業台。
【請求項６】
固定レバーは、基部から隔置された複数位置に固定して係合することを特徴とする請求項１記載の調整自在の卓上作業台。
【請求項７】
上部基盤を容易に上昇、下降する付勢接続部を備えることを特徴とする請求項１記載の調整自在の卓上作業台。
【請求項８】
付勢接続部は、少なくとも１つの枢動アームの少なくとも前方ブラケット及び後方ブラケットを接続する少なくとも１つのスプリングであることを特徴とする請求項７記載の調整自在の卓上作業台。
【請求項９】
付勢接続部は、各枢動アームの前方ブラケット及び後方ブラケットを接続するスプリングであることを特徴とする請求項８記載の調整自在の卓上作業台。
【請求項１０】
（ａ）第１のアームアセンブリ及び第２のアームアセンブリによって蝶着されて接続された上部基盤及び下部基盤を備え、
（ｂ）前記第１のアームアセンブリ及び第２のアームアセンブリは前方部材及び後方部材から成り、
（ｃ）前記部材はそれぞれ第１の端部および第２端部を有し、前記第１の端部は前記基部に接続され、前記第２端部は前記基盤に接続され、
（ｄ）前記前方部材は付勢機構によって前記後方部材に作動自在に係合され、
（ｅ）前記第１のアームアセンブリ及び第２のアームアセンブリの係合を直立位置に固定するためのレバーを備えていることを特徴とする調整自在の卓上作業台。
【請求項１１】
１つ以上の横方向安定化棒を備えることを特徴とする請求項１０記載の調整自在の卓上作業台。
【請求項１２】
１つ以上の横方向安定化棒は、各枢動アームの前方ブラケットを接続する剛性棒を含むことを特徴とする請求項１１記載の調整自在の卓上作業台。
【請求項１３】
１つ以上の横方向安定化棒は、各枢動アームの後方ブラケットを接続する第２の剛性棒を含むことを特徴とする請求項１２記載の調整自在の卓上作業台。
【請求項１４】
付勢機構は、各枢動アームの前方ブラケット及び後方ブラケットを接続するスプリングであることを特徴とする請求項１０記載の調整自在の卓上作業台。
【請求項１５】
レバーは、下部基盤から隔置された複数位置に上部基盤を固定して係合することを特徴とする請求項１０記載の調整自在の卓上作業台。
【考案の詳細な説明】
【技術分野】
【０００１】
本考案は、人間工学的な作業台環境に係り、特に、調整自在の卓上作業台に関する。
【背景技術】
【０００２】
労働日において、長時間着座していることは自分の健康とウェルネス（積極的に心身の健康維持・増進を図ろうとする生活態度・行動）のためには良いことではない。医療の研究では、着座することで、特に例えば、心血管疾患、糖尿病、肥満から全死因の死亡率が増加することを示している。一日の大半を着座している人々は、心臓発作で死亡する可能性が５０パーセント高くなる。仮令貴方が運動したとしても、貴方がより長時間着座すればするほど、貴方が死亡するチャンスはより大きくなる。着座することは脂肪吸収酵素リパーゼの循環を止め、一方、立ち上がることは筋肉を働かせてリパーゼの分布を促進し、これは、運動に費やされる時間量とは無関係に、身体を脂肪とコレステロールを処理するように促すのである。
【０００３】
立位のまま使用するように利用できるデスクやユーザがトレッドミル（ランニングマシン）上に立位でいる間に使用するのに適しているデスクさえもある。
【考案の概要】
【考案が解決しようとする課題】
【０００４】
しかしながら、仕事をする時間の非常に長い期間にわたって立位のままであると、より疲れることになり、循環系に余分な負荷がかかるため頸動脈アテローム性動脈硬化症の危険性を劇的に増加させ、また拡張蛇行静脈の危険性を増大させる。
【０００５】
長期間着座してから定期的に休憩をとることは、いくつかの有益な成果を得ることができる。例えば、立位でいれば仕事日において多くのエネルギーを提供することができる。さらに、立位でいれば着座しているよりも多くのカロリーを燃焼するので、立位でいれば、食事又は運動を変化させることなく体重減少につなげることができる。また、立位になっているとき、より疲れること、焦点を失うこともなくなる。
【０００６】
着座してから定期的な休憩が有益であるので、また労働日において多くの人々は着座してから休憩をしながら生産性を維持したいと望んでいるので、また誰もが日中において異なる時間に異なる時間長で着座し、かつ立位になるので、何人にとっても立位し、また着座するのに人間工学的であって、容易、迅速、簡単に移行する仕事環境を作成する必要性が存在する。
【課題を解決するための手段】
【０００７】
本考案の主な利点は、迅速、容易、簡単に、下方動作位置と上方動作位置との間で移行することができる調整自在の卓上作業台を提供することにある。
【０００８】
本考案の関連する利点は、下方動作位置とさまざまな高所位置との間で移行することができる調整自在の卓上作業台を提供することにある。
【０００９】
本考案の別の利点は、既存の卓上作業台を高さ調整自在の作業台に変更することができる調整自在の卓上作業台を提供することにある。
【００１０】
本考案の好ましい実施例によれば、調整自在の卓上作業台は、下方基盤を有する基部、上方基盤、基部と上方基盤との間で装着された２個の枢動アームで構成され、各枢動アームはさらに前方ブラケット、後方ブラケット、基盤を直立位置に固定して係合するための各アーム上の固定レバーから成る。
【００１１】
本考案の別の好ましい実施例によれば、調整自在の卓上作業台は、第１のアームアセンブリ及び第２のアームアセンブリによって蝶着されて接続された上部基盤及び下部基盤を備え、第１のアームアセンブリ及び第２のアームアセンブリは前方部材及び後方部材から成り、これらの部材はそれぞれ第１の端部および第２端部を有し、上記第１の端部は基部に接続され、第２端部は上記基盤に接続され、前方部材は付勢機構によって後方部材に作動自在に係合され、さらに第１のアームアセンブリ及び第２のアームアセンブリの係合を直立位置に固定するためのレバーを備えている。
【００１２】
他の目的及び利点は、添付の図面と関連してなされる以下の説明から明らかになる。そこでは、例示及び具体例により、本考案の実施例が開示されている。
【図面の簡単な説明】
【００１３】
本考案の特徴であると考えられる新規の特徴は、添付の実用新案登録請求の範囲及び後に提出されるべき実用新案登録請求の範囲に記載される。しかしながら、本考案自体並びに使用の好ましい態様およびその更なる目的および利点は、以下の詳細な説明を参照し、添付図面と併せて読むことによって理解される。
【図１】図１は、本考案において完全に直立位置で示されている調整自在の卓上作業台の好ましい実施例の切取斜視図である。
【図２】図２は、図１の実施例の平面図である。
【図３】図３は、図１に示された本考案の実施例の正面図である。
【図４】図４は、図１に示された本考案の実施例の側面図である。
【図５】図５は、図１に示された調整自在の卓上作業台の好ましい実施例の分解組立図である。
【考案を実施するための形態】
【００１４】
以下、本考案の好ましい実施の形態例について詳述する。しかしながら、本考案は様々な形態で実施され得ることが理解されるべきである。本考案の様々な態様は、特定の部品形状及び詳細、部品位置又は部品構成体に関連して転換又は変更されてもよい。したがって、ここに開示された特定の詳細は限定して解釈されるものではなく、寧ろ、実用新案登録請求の範囲の基礎として、かつ当業者に教示するための代表的な基礎として実質的に、任意適切に詳細なシステム、構造又は態様において本考案を利用するべきものである。
【００１５】
この明細書は、人間工学に基づいた作業環境の開発について概説するもので、ユーザにとって着座し若しくは立位でいる間に仕事ができ、２つの位置の間で容易、迅速、簡単に移行するようにする。
【００１６】
本考案は、調整自在の卓上作業台を使用し、卓上作業台を上昇及び下降させるバネ支援枢動アーム及び複数位置に調整自在の固定機構のシステムを備えて、着座位置で何人にとって使用可能なレベルで作業空間を提供し、立位の位置で何人にとって使用可能な作業空間を提供するように移行するものである。本考案は、付加された安全性のためにカウンターウェイト、カバー及びサポートを含んでいる。
【００１７】
最初に図１を参照すると、本考案の例示された実施例にしたがう調整自在の卓上作業台１０が示されている。調整自在の卓上作業台１０は、既存の作業者の机の上に設定することが意図された基部基盤１５を含む。卓上基盤２５は、所定の空間によって基部基盤１５から分離されている。基部基盤１５及び卓上基盤２５の間の空間は、コンピュータのキーボードとマウスを格納するのに十分な大きさであり、その使用を可能にする。加えて、基部基盤１５及び卓上基盤２５を接続するバネ付勢枢動ブラケットアセンブリ２８が図１に示されている。以下、図５に関連して説明されるとおり、固定機構が含まれて、調整自在の卓上作業台１０の意図しない位置変動を防止するとともに、調整自在の卓上作業台１０の安定性を可能にしてラップトップコンピュータ、コンピュータモニタ、キーボード及び／又はコンピュータマウスをサポートする。
【００１８】
下降位置において、枢動ブラケット３１、３２は、一般的に水平位置にあり、卓上基盤２５は基部基盤１５上にあり、一方、完全直立位置において、卓上基盤２５は上昇されて枢動ブラケット３１、３２は一般的に垂直位置になる。完全直立位置において、また、卓上基盤２５は、基部基盤１５と相対的に、ユーザに前進移動して接近される。卓上基盤２５は作業台（作業空間）環境で使用するように設計され、おそらく、その上にスクリーン、キーボード及びマウスのようなコンピュータ機器を有することになるので、付加された前進重量は基部基盤１５の遠端にある図示のカウンターウェイト３５によって相殺される。理解されるように、カウンターウェイト３５の特定の重量は、特定の環境デザインに変更することができ、他の事項のうち、卓上部の重量、枢動アームの長さ及び卓上基盤の形状に依存してもよい。
【００１９】
図１及び図５に示すように、基部基盤１５には、取外し可能なインサート３８を含んでもよい。取外し可能なインサート３８は、その作業台（作業空間）のユーザの個々の好みに応じて容易に取外し又は挿入することができる。図３に示され、他の図では省略されて他の機械的特徴を例示することを可能にするために、また、サイドカバー４１、４２が基部基盤１５の側端部に含まれる。サイドカバー４１、４２は安全機能を提供し、それでユーザが卓上作業台１０を上昇、下降調整するとき、ユーザの指及び／又は他のものは可動機構に引っかかる可能性が低くなる。さらに、サイドサイドカバー４１、４２は、ユーザが機械アセンブリを視認するというよりも美的観点を提供することにある。
【００２０】
次に図３、図４及び図５に示すように、本考案の調整機構がより詳細に示されている。具体的には、図３において、左、右の枢動ブラケット２８が示されている。枢動ブラケット２８の各対は、図４に示すように前方複数位置調節自在の枢動ブラケット３１及び後方安定化枢動ブラケット３２を含んでいる。各ブラケットは、図示された一般的にＬ字形取付けブラケット４５を介して基部基盤１５及び卓上基盤２５に固定され、取付けブラケット４５は、例えばネジを介してそれぞれの基盤に固定される。
【００２１】
スプリング３４が含まれて、コンピュータ、スクリーン、キーボード、マウスなどの卓上基盤２５及びその上の機器の重量に対抗する際にユーザを支援し、卓上基盤を滑らかに、容易に上昇、下降することを可能にする。スプリング３４は図５に示されている。各スプリング３４は前方枢動ブラケット３１及び後方枢動ブラケット３２の間に接続されている。完全直立位置において、両スプリング３４は自然な、弛緩された位置、そして完全に下降された位置にあり、両スプリング３４は延伸された位置にある。代替のスプリング支援のデザインが容易に理解される。理解されるようにスプリングのサイズ、スプリング長さ及びスプリング力は、卓上重量、卓上部上の予想される重量、ユーザの強さ等を含む特定の予想される環境に合わせて選択することができる。
【００２２】
また、付加されたセキュリティと安定性のために、固定機構５０を含んでおり、固定機構５０は基部基盤１５から様々な距離で卓上基盤２５を固定する。この特徴は、前方枢動ブラケット３１のそれぞれにおいて一連の穴５１によって達成される。一連の孔５１は、図５に詳細に示すように、ピン・ブラケット５５と協働する。これらのピンは前方枢動ブラケット穴５１に嵌合し、卓上基盤が基部基盤に対してさらに移動することを防止する。これらのピンは、卓上基盤２５の両側部でレバー６２によって穴５０に挿入され、また穴５０から取外され、保持ブラケット６４によって卓上基盤２５の下面に固定される。各レバー６２はワイヤ６７によってピンに接続され、レバーの運動によって、前方枢動ブラケット３１の穴５０に挿入され、また穴５０から取外されるようになっている。ワイヤは図５には示されておらず、これは、その他の特徴を不明瞭にしないようにしており当業者によって理解可能である。好ましい実施例において、レバー６２はワイヤ６７によってピンの近くの集成体に接続されているが、所望のデザイン及び環境に応じて、ピンの遠くの集成体に接続することもできる。
【００２３】
前方横方向安定化棒７２及び後方横方向安定化棒７５又はサポートは、図５に示されており、基部基盤１５及び卓上基盤２５の間の不要な左右の相対運動を軽減するために使用される。
【００２４】
本考案を好ましい実施例に関して説明したが、本考案の範囲を記載された特定の形態に限定することに意図されるものではなく、逆に、そのような代替、改変及び等価なものを包含し、現在又は以降の実用新案登録請求の範囲によって規定される本考案の思想及び範囲内に含まれることが意図される。
【図１】
0003198070.tif 000003
【図２】
0003198070.tif 000004
【図３】
0003198070.tif 000005
【図４】
0003198070.tif 000006
【図５】
0003198070.tif 000007
【手続補正書】
【提出日】平成26年11月19日(2014.11.19)
【手続補正１】
【補正対象書類名】実用新案登録請求の範囲
【補正対象項目名】全文
【補正方法】変更
【補正の内容】
【実用新案登録請求の範囲】
【請求項１】
（ａ）実質的に平坦な下方作業面を形成する下方基盤を有する基部を備え、下方基盤は脚無しであって既存の机上に載置するのに適しており、
（ｂ）実質的に平面状の上方基盤を備え、上方基盤は実質的に平坦で遮るものがない上方作業面を形成し、
（ｃ）前記基部及び前記上方基盤の間で装着された第１の枢動アームを備え、前記第１の枢動アームは第１の前方ブラケット及び第１の後方ブラケットを備え、第１の前方ブラケット及び第１の後方ブラケットは下方基盤に実質的に平行な位置及び下方基盤に実質的に垂直な位置の間で可動であり、
（ｄ）前記基部及び前記上方基盤の間で装着された第２の枢動アームを備え、前記第２の枢動アームは第２の前方ブラケット及び第２の後方ブラケットを備え、第２の前方ブラケット及び第２の後方ブラケットは下方基盤に実質的に平行な位置及び可動基盤に実質的に垂直な位置の間で可動であり、第１、第２の前方ブラケット及び第１、第２の後方ブラケットが下方基盤に実質的に平行になるとき上方基盤は下方基盤に実質的に平行な下降位置となり、第１、第２の前方ブラケット及び第１、第２の後方ブラケットが下方基盤に実質的に垂直になるとき上方基盤は下方基盤に実質的に平行な上昇位置となり、
（ｅ）第１の枢動アームに組合された第１の固定レバーを備え、第１の固定レバーは第１の前方ブラケット又は第１の後方ブラケットの少なくとも１つを複数位置に固定するのに適し、上方基盤を上昇位置に、かつ下降位置及び上昇位置の間で少なくとも１つの位置に固定し、
上方基盤は下降位置から上昇位置に移動するとき下方基盤に対して後方に移動し、下方基盤は上方基盤が上昇位置にあるとき上方基盤の重量を相殺するのに適したカウンターウェイトを含むことを特徴とする調整自在の卓上作業台。
【請求項２】
基部に取外し可能なインサートを備えることを特徴とする請求項１記載の調整自在の卓上作業台。
【請求項３】
上部基盤を上昇位置に向かって付勢するのに適した付勢接続部を備えることを特徴とする請求項１記載の調整自在の卓上作業台。
【請求項４】
付勢接続部は、少なくとも第１の前方ブラケットを第１の後方ブラケットに接続する少なくとも第１のスプリング接続部を備えることを特徴とする請求項３記載の調整自在の卓上作業台。
【請求項５】
付勢接続部は、第２の前方ブラケットを第２の後方ブラケットに接続する第２のスプリング接続部を備えることを特徴とする請求項４記載の調整自在の卓上作業台。
【請求項６】
（ａ）第１のアームアセンブリ及び第２のアームアセンブリによって蝶着されて接続された実質的に平面状の上部基盤及び下部基盤を備え、前記上部基盤は実質的に平坦で遮るものがない上方作業面を形成し、前記下部基盤は実質的に平坦で下方作業面を形成し、下方基盤は脚無しであって既存の机上に載置するのに適しており、
（ｂ）前記第１のアームアセンブリは第１の前方部材及び第１の後方部材を備え、第２のアームアセンブリは第２の前方部材及び第２の後方部材を備え、
（ｃ）下方基盤に実質的に平行な位置及び下方基盤に実質的に垂直な位置の間で可動可能な第１、第２の前方ブラケット及び第１、第２の後方ブラケットを備え、第１、第２の前方ブラケット及び第１、第２の後方ブラケットが下方基盤に実質的に平行になるとき上方基盤は下方基盤に実質的に平行な下降位置となり、第１、第２の前方ブラケット及び第１、第２の後方ブラケットが下方基盤に実質的に垂直になるとき上方基盤は下方基盤に実質的に平行な上昇位置となり、
（ｄ）第１の前方ブラケット及び第１の後方ブラケット間で延在する付勢機構を備え、付勢機構は第１の前方ブラケット及び第１の後方ブラケットが下方基盤に実質的に垂直になるとき弛緩された状態になり、
（ｅ）前記第１の前方ブラケット及び前記第１の後方ブラケットを下方基盤に実質的に垂直に固定するのに適した第１のレバーを備え、
上方基盤は下降位置から上昇位置に移動するとき下方基盤に対して後方に移動し、下方基盤は上方基盤が上昇位置にあるとき上方基盤の重量を相殺するのに適したカウンターウェイトを含むことを特徴とする調整自在の卓上作業台。
【請求項７】
１つ以上の横方向安定化棒を備えることを特徴とする請求項１又は請求項６記載の調整自在の卓上作業台。
【請求項８】
１つ以上の横方向安定化棒は、第１の前方ブラケットを第２の前方ブラケットに接続する剛性棒を含むことを特徴とする請求項７記載の調整自在の卓上作業台。
【請求項９】
１つ以上の横方向安定化棒は、第１の後方ブラケットを第２の後方ブラケットに接続する第２の剛性棒を含むことを特徴とする請求項８記載の調整自在の卓上作業台。
【請求項１０】
付勢接続部は、第１の前方ブラケットを第１の後方ブラケットに接続するスプリングを備えることを特徴とする請求項６記載の調整自在の卓上作業台。
【請求項１１】
レバーは、上方基盤を上昇位置に、かつ下降位置及び上昇位置の間で少なくとも１つの位置に固定するのに適していることを特徴とする請求項６記載の調整自在の卓上作業台。
【請求項１２】
第２の枢動アームに組合された第２の固定レバーを備え、第２の固定レバーは第２の前方ブラケット又は第２の後方ブラケットの少なくとも１つを複数位置に固定し、上方基盤を上昇位置に、かつ下降位置及び上昇位置の間で少なくとも１つの位置に固定するのに適していることを特徴とする請求項１記載の調整自在の卓上作業台。
【請求項１３】
カウンターウェイトは、上方基盤が上昇位置にあるとき上方基盤から後方に向かって片寄せられることを特徴とする請求項１記載の調整自在の卓上作業台。
【請求項１４】
基部は、自立して、他の１面に載置するのに適していることを特徴とする請求項１又は請求項６記載の調整自在の卓上作業台。
【請求項１５】
前記第２の前方ブラケット及び前記第２の後方ブラケットを下方基盤に実質的に垂直に固定するのに適した第２のレバー及び／又は下方基盤に設置されたカウンターウェイトを備え、カウンターウェイトは上方基盤が上昇位置にあるとき上方基盤から後方に向かって片寄せられることを特徴とする請求項６記載の調整自在の卓上作業台。
【手続補正２】
【補正対象書類名】明細書
【補正対象項目名】全文
【補正方法】変更
【補正の内容】
【考案の詳細な説明】
【技術分野】
【０００１】
本考案は、人間工学的な作業台環境に係り、特に、調整自在の卓上作業台に関する。
【背景技術】
【０００２】
労働日において、長時間着座していることは自分の健康とウェルネス（積極的に心身の健康維持・増進を図ろうとする生活態度・行動）のためには良いことではない。医療の研究では、着座することで、特に例えば、心血管疾患、糖尿病、肥満から全死因の死亡率が増加することを示している。一日の大半を着座している人々は、心臓発作で死亡する可能性が５０パーセント高くなる。仮令貴方が運動したとしても、貴方がより長時間着座すればするほど、貴方が死亡するチャンスはより大きくなる。着座することは脂肪吸収酵素リパーゼの循環を止め、一方、立ち上がることは筋肉を働かせてリパーゼの分布を促進し、これは、運動に費やされる時間量とは無関係に、身体を脂肪とコレステロールを処理するように促すのである。
【０００３】
立位のまま使用するように利用できるデスクやユーザがトレッドミル（ランニングマシン）上に立位でいる間に使用するのに適しているデスクさえもある。
【考案の概要】
【考案が解決しようとする課題】
【０００４】
しかしながら、仕事をする時間の非常に長い期間にわたって立位のままであると、より疲れることになり、循環系に余分な負荷がかかるため頸動脈アテローム性動脈硬化症の危険性を劇的に増加させ、また拡張蛇行静脈の危険性を増大させる。
【０００５】
長期間着座してから定期的に休憩をとることは、いくつかの有益な成果を得ることができる。例えば、立位でいれば仕事日において多くのエネルギーを提供することができる。さらに、立位でいれば着座しているよりも多くのカロリーを燃焼するので、立位でいれば、食事又は運動を変化させることなく体重減少につなげることができる。また、立位になっているとき、より疲れること、焦点を失うこともなくなる。
【０００６】
着座してから定期的な休憩が有益であるので、また労働日において多くの人々は着座してから休憩をしながら生産性を維持したいと望んでいるので、また誰もが日中において異なる時間に異なる時間長で着座し、かつ立位になるので、何人にとっても立位し、また着座するのに人間工学的であって、容易、迅速、簡単に移行する仕事環境を作成する必要性が存在する。
【課題を解決するための手段】
【０００７】
本考案の主な利点は、迅速、容易、簡単に、下方動作位置と上方動作位置との間で移行することができる調整自在の卓上作業台を提供することにある。
【０００８】
本考案の関連する利点は、下方動作位置とさまざまな高所位置との間で移行することができる調整自在の卓上作業台を提供することにある。
【０００９】
本考案の別の利点は、既存の卓上作業台を高さ調整自在の作業台に変更することができる調整自在の卓上作業台を提供することにある。
【００１０】
本考案の好ましい実施例によれば、調整自在の卓上作業台は、下方基盤を有する基部、上方基盤、基部と上方基盤との間で装着された２個の枢動アームで構成され、各枢動アームはさらに前方ブラケット、後方ブラケット、基盤を直立位置に固定して係合するための各アーム上の固定レバーから成る。
【００１１】
本考案の別の好ましい実施例によれば、調整自在の卓上作業台は、第１のアームアセンブリ及び第２のアームアセンブリによって蝶着されて接続された上部基盤及び下部基盤を備え、第１のアームアセンブリ及び第２のアームアセンブリは前方部材及び後方部材から成り、これらの部材はそれぞれ第１の端部および第２端部を有し、上記第１の端部は基部に接続され、第２端部は上記基盤に接続され、前方部材は付勢機構によって後方部材に作動自在に係合され、さらに第１のアームアセンブリ及び第２のアームアセンブリの係合を直立位置に固定するためのレバーを備えている。
【００１２】
他の目的及び利点は、添付の図面と関連してなされる以下の説明から明らかになる。そこでは、例示及び具体例により、本考案の実施例が開示されている。
【図面の簡単な説明】
【００１３】
本考案の特徴であると考えられる新規の特徴は、添付の実用新案登録請求の範囲及び後に提出されるべき実用新案登録請求の範囲に記載される。しかしながら、本考案自体並びに使用の好ましい態様およびその更なる目的および利点は、以下の詳細な説明を参照し、添付図面と併せて読むことによって理解される。
【図１】図１は、本考案において完全に直立位置で示されている調整自在の卓上作業台の好ましい実施例の切取斜視図である。
【図２】図２は、図１の実施例の平面図である。
【図３】図３は、図１に示された本考案の実施例の正面図である。
【図４】図４は、図１に示された本考案の実施例の側面図である。
【図５】図５は、図１に示された調整自在の卓上作業台の好ましい実施例の分解組立図である。
【考案を実施するための形態】
【００１４】
以下、本考案の好ましい実施の形態例について詳述する。しかしながら、本考案は様々な形態で実施され得ることが理解されるべきである。本考案の様々な態様は、特定の部品形状及び詳細、部品位置又は部品構成体に関連して転換又は変更されてもよい。したがって、ここに開示された特定の詳細は限定して解釈されるものではなく、寧ろ、実用新案登録請求の範囲の基礎として、かつ当業者に教示するための代表的な基礎として実質的に、任意適切に詳細なシステム、構造又は態様において本考案を利用するべきものである。
【００１５】
この明細書は、人間工学に基づいた作業環境の開発について概説するもので、ユーザにとって着座し若しくは立位でいる間に仕事ができ、２つの位置の間で容易、迅速、簡単に移行するようにする。
【００１６】
本考案は、調整自在の卓上作業台を使用し、卓上作業台を上昇及び下降させるバネ支援枢動アーム及び複数位置に調整自在の固定機構のシステムを備えて、着座位置で何人にとって使用可能なレベルで作業空間を提供し、立位の位置で何人にとって使用可能な作業空間を提供するように移行するものである。本考案は、付加された安全性のためにカウンターウェイト、カバー及びサポートを含んでいる。
【００１７】
最初に図１を参照すると、本考案の例示された実施例にしたがう調整自在の卓上作業台１０が示されている。調整自在の卓上作業台１０は、既存の作業者の机の上に設定することが意図された基部基盤１５を含む。卓上基盤２５は、所定の空間によって基部基盤１５から分離されている。基部基盤１５及び卓上基盤２５の間の空間は、コンピュータのキーボードとマウスを格納するのに十分な大きさであり、その使用を可能にする。加えて、基部基盤１５及び卓上基盤２５を接続するバネ付勢枢動ブラケットアセンブリ２８が図１に示されている。以下、図５に関連して説明されるとおり、固定機構５０が含まれて、調整自在の卓上作業台１０の意図しない位置変動を防止するとともに、調整自在の卓上作業台１０の安定性を可能にしてラップトップコンピュータ、コンピュータモニタ、キーボード及び／又はコンピュータマウスをサポートする。
【００１８】
下降位置において、枢動ブラケット３１、３２は、一般的に水平位置にあり、卓上基盤２５は基部基盤１５上にあり、一方、完全直立位置において、卓上基盤２５は上昇されて枢動ブラケット３１、３２は一般的に垂直位置になる。完全直立位置において、また、卓上基盤２５は、基部基盤１５と相対的に、ユーザに前進移動して接近される。卓上基盤２５は作業台（作業空間）環境で使用するように設計され、おそらく、その上にスクリーン、キーボード及びマウスのようなコンピュータ機器を有することになるので、付加された前進重量は基部基盤１５の遠端にある図示のカウンターウェイト３５によって相殺される。理解されるように、カウンターウェイト３５の特定の重量は、特定の環境デザインに変更することができ、他の事項のうち、卓上部の重量、枢動アームの長さ及び卓上基盤の形状に依存してもよい。
【００１９】
図１及び図５に示すように、基部基盤１５には、取外し可能なインサート３８を含んでもよい。取外し可能なインサート３８は、その作業台（作業空間）のユーザの個々の好みに応じて容易に取外し又は挿入することができる。図３に示され、他の図では省略されて他の機械的特徴を例示することを可能にするために、また、サイドカバー４１、４２が基部基盤１５の側端部に含まれる。サイドカバー４１、４２は安全機能を提供し、それでユーザが卓上作業台１０を上昇、下降調整するとき、ユーザの指及び／又は他のものは可動機構に引っかかる可能性が低くなる。さらに、サイドサイドカバー４１、４２は、ユーザが機械アセンブリを視認するというよりも美的観点を提供することにある。
【００２０】
次に図３、図４及び図５に示すように、本考案の調整機構がより詳細に示されている。具体的には、図３において、左、右の枢動ブラケット２８が示されている。枢動ブラケット２８の各対は、図４に示すように前方複数位置調節自在の枢動ブラケット３１及び後方安定化枢動ブラケット３２を含んでいる。各ブラケットは、図示された一般的にＬ字形取付けブラケット４５を介して基部基盤１５及び卓上基盤２５に固定され、取付けブラケット４５は、例えばネジを介してそれぞれの基盤に固定される。
【００２１】
スプリング３４が含まれて、コンピュータ、スクリーン、キーボード、マウスなどの卓上基盤２５及びその上の機器の重量に対抗する際にユーザを支援し、卓上基盤を滑らかに、容易に上昇、下降することを可能にする。スプリング３４は図５に示されている。各スプリング３４は前方枢動ブラケット３１及び後方枢動ブラケット３２の間に接続されている。完全直立位置において、両スプリング３４は自然な、弛緩された位置、そして完全に下降された位置にあり、両スプリング３４は延伸された位置にある。代替のスプリング支援のデザインが容易に理解される。理解されるようにスプリングのサイズ、スプリング長さ及びスプリング力は、卓上重量、卓上部上の予想される重量、ユーザの力等を含む特定の予想される環境に合わせて選択することができる。
【００２２】
また、付加されたセキュリティと安定性のために、固定機構５０を含んでおり、固定機構５０は基部基盤１５から様々な距離で卓上基盤２５を固定する。この特徴は、前方枢動ブラケット３１のそれぞれにおいて一連の穴５１によって達成される。一連の孔５１は、図５に詳細に示すように、ピン・ブラケット５５と協働する。これらのピンは前方枢動ブラケット穴５１に嵌合し、卓上基盤が基部基盤に対してさらに移動することを防止する。これらのピンは、卓上基盤２５の両側部でレバー６２によって穴５１に挿入され、また穴５０から取外され、保持ブラケット６４によって卓上基盤２５の下面に固定される。各レバー６２はワイヤ６７によってピンに接続され、レバーの運動によって、前方枢動ブラケット３１の穴５０に挿入され、また穴５０から取外されるようになっている。ワイヤは図５には示されておらず、これは、その他の特徴を不明瞭にしないようにしており当業者によって理解可能である。好ましい実施例において、レバー６２はワイヤ６７によってピンの近くの集成体に接続されているが、所望のデザイン及び環境に応じて、ピンの遠くの集成体に接続することもできる。
【００２３】
剛性前方横方向安定化棒７２及び剛性後方横方向安定化棒７５又はサポートは、図５に示されており、基部基盤１５及び卓上基盤２５の間の不要な左右の相対運動を軽減するために使用される。
【００２４】
本考案を好ましい実施例に関して説明したが、本考案の範囲を記載された特定の形態に限定することに意図されるものではなく、逆に、そのような代替、改変及び等価なものを包含し、現在又は以降の実用新案登録請求の範囲によって規定される本考案の思想及び範囲内に含まれることが意図される。
【手続補正３】
【補正対象書類名】図面
【補正対象項目名】図３
【補正方法】変更
【補正の内容】
【図３】
0003198070.tif 000008